(57)【特許請求の範囲】
【請求項１】
左右方向に連続して延在しプレキャストコンクリートブロックの前面を構成する前壁部と、
前記前壁部の上部に接続され左右方向に連続して延在しプレキャストコンクリートブロックの上面を構成する上壁部とを有し、
前記プレキャストコンクリートブロックの前壁部の後面と上壁部の下面にわたり、プレキャストコンクリートブロックの後方及び下方に開放状でプレキャストコンクリートブロックの左右方向のほぼ全長にわたって延在する凹部が設けられ、
さらに、前記凹部の左右方向に間隔をおいた少なくとも２箇所に、前記前壁部の後面と上壁部の下面から左右方向と直交する方向に突出し凹部内を延出してその下部が上下方向において前壁部の下部とほぼ同じ寸法となり、その後部が上壁部の後部とほぼ同じ寸法となり前記プレキャストコンクリートブロックの脚部として機能するコンクリート付着用壁部が設けられ、
前記凹部を形成する前記前壁部の後面、前記上壁部の下面、前記コンクリート付着用壁部の側面は、コンクリートとの付着性を高めるため粗面で形成され、
前記コンクリート付着用壁部のうち左右両端付近に設けられる２つのコンクリート付着用壁部は、プレキャストコンクリートブロックの左右両端よりもプレキャストコンクリートブロックの長手方向の中央寄りに変位した箇所に設けられ、プレキャストコンクリートブロックの左右方向の両端において前記凹部が左右方向外方に開放され、
前記プレキャストコンクリートブロックの両端部において、前壁部の後面と上壁部の下面に傾斜面が形成され、この傾斜面により前記コンクリート付着用壁部からプレキャストコンクリートブロックの左右両端部に向かって、前壁部の厚みと上壁部の厚みが次第に薄くなるように形成されている、
ことを特徴とするプレキャストコンクリートブロック。
【請求項２】
左右方向に連続して延在しプレキャストコンクリートブロックの前面を構成する前壁部と、
前記前壁部の上部から後方に延在すると共に左右方向に連続して延在しプレキャストコンクリートブロックの上面を構成する上壁部と、
前記前壁部の下部から後方に延在すると共に左右方向に連続して延在しプレキャストコンクリートブロックの下面を構成する下壁部と、
前記前壁部の後方で前記上壁部と下壁部との間に形成された後方に開放状でプレキャストコンクリートブロックの左右方向のほぼ全長にわたって延在する凹部と、
前記凹部の左右方向に間隔をおいた少なくとも２箇所に左右方向と直交する方向に延在し前壁部の後面と上壁部の下面と下壁部の上面とを接続するように設けられたコンクリート付着用壁部とを有し、
前記凹部を形成する前記前壁部の後面、前記上壁部の下面、前記コンクリート付着用壁部の側面は、コンクリートとの付着性を高めるため粗面で形成され、
前記コンクリート付着用壁部のうち左右両端付近に設けられる２つのコンクリート付着用壁部は、プレキャストコンクリートブロックの左右両端よりもプレキャストコンクリートブロックの長手方向の中央寄りに変位した箇所に設けられ、プレキャストコンクリートブロックの左右方向の両端において前記凹部が左右方向外方に開放され、
前記プレキャストコンクリートブロックの両端部において、前壁部の後面と上壁部の下面に傾斜面が形成され、この傾斜面により前記コンクリート付着用壁部からプレキャストコンクリートブロックの左右両端部に向かって、前壁部の厚みと上壁部の厚みが次第に薄くなるように形成されている、
ことを特徴とするプレキャストコンクリートブロック。
【請求項３】
前記プレキャストコンクリートブロックの左右方向の長さは、前後方向の奥行きと上下方向の高さに対してほぼ１．５倍から６倍の大きさの寸法を有していることを特徴とする請求項１または２に記載のプレキャストコンクリートブロック。
【請求項４】
複数のプレキャストコンクリートブロックを上下に重ね合わせたときに互いに嵌合する位置決め用の凸部と凹部が、前記プレキャストコンクリートブロックのそれぞれ上面と下面に形成されており、その凸部をブロックの前面側に設けるか後面側に設けるかを選択することによって、同じ形状のブロックを鉛直に重ね合わせる場合と階段状に重ね合わせる場合と、どちらの場合に用いても位置決めが可能となることを特徴とする請求項１乃至３に何れか１項記載のプレキャストコンクリートブロック。
【請求項５】
前記プレキャストコンクリートブロックが後方に臨む部分には、ジベル筋の一部が埋め込まれていることを特徴とする請求項１乃至４に何れか１項記載のプレキャストコンクリートブロック。
【請求項６】
前記プレキャストコンクリートブロックの前壁の前面あるいは上壁の上面の少なくとも一方には、水の勢いを減衰させる凹凸からなる模様が形成されていることを特徴とする請求項１乃至５に何れか１項記載のプレキャストコンクリートブロック。
【発明の詳細な説明】
【０００１】
【発明の属する技術分野】
本発明はプレキャストコンクリートブロックに関し、さらに詳細には、コンクリートダムを構築する際に好適なプレキャストコンクリートブロックに関する。
【０００２】
【従来の技術】
コンクリートダム堤体を施工する工法としては、（１）鋼製または木製の型枠を使用する工法、（２）プレキャストコンクリートブロックを使用する工法などがあり、何れの工法においても、リフト高さが約５０〜１５０ｃｍ、長さが約９〜１５ｍ単位でコンクリートが打設される。
【０００３】
（鋼製または木製の型枠を使用する工法の場合）
鋼製または木製の型枠を左右方向に接続することで、高さが約５０〜１５０ｃｍ、長さが約９〜１５ｍの型枠ユニットを設置する。そして、この型枠ユニットの内側に高さが約５０〜１５０ｃｍ、長さが約９〜１５ｍでコンクリートを打設することで水平方向に延在する堤体部分を構築する。次に、型枠ユニットを水平移動させ、その内側に前記と同様にコンクリートを打設し、堤体部分を水平方向に延長していく。このようにして１段目の堤体部分が構築されたならば、型枠ユニットを上方にスライド移動させて型枠ユニットを設置し、１段目の堤体部分の上で型枠ユニットの内側にコンクリートを打設する。つぎに、１段目の堤体部分の上で前記と同様に堤体部分を水平方向に延長して２段目の堤体部分を構築し、このような手順を繰り返すことでコンクリートダム堤体が構築される。
【０００４】
（プレキャストコンクリートブロックを使用する工法の場合）
高さが約５０〜１５０ｃｍ程度の複数個のプレキャストコンクリートブロックを、左右の端面を合わせて直線状に並べることによって約９〜１５ｍの長さのプレキャストコンクリート列を作り、このプレキャストコンクリート列の内側に約９〜１５ｍの長さでコンクリートを打設し、堤体部分を構築する。次に、プレキャストコンクリート列を約９〜１５ｍの長さで水平方向に延長し、その内側にコンクリートを打設し堤体部分を水平方向に延長していく。このようにして１段目の堤体部分が構築されたならば、１段目のプレキャストコンクリート列の上に、複数個のプレキャストコンクリートブロックを前記と同様に直線状に並べてプレキャストコンクリート列を作り、このプレキャストコンクリート列の内側で１段目の堤体部分の上にコンクリートを打設し、１段目の堤体部分の上に堤体部分を構築する。そして、前記と同様に１段目の堤体部分の上で堤体部分を延長して２段目の堤体部分を構築し、このようなプレキャストコンクリートブロック列の形成とコンクリートの打設を順次繰り返していくことでコンクリートダム堤体が構築される。
【０００５】
【発明が解決しようとする課題】
しかしながら、このような従来の工法では次のような欠点がある。
（鋼製または木製の型枠を使用する工法の場合）
型枠の取り付け、解体の作業は堤体の上部に行くほど高所での危険作業となる。特に、型枠設置用のセパレータの取り付け、取り外しの作業は堤体の外部から行うため危険である。
型枠を取り外した後は、堤体の表面が外気にさらされるため、コンクリート強度が充分に発現するまで散水養生を行う必要があり、この散水によって堤体の表面が汚れる。
ステップ形状を採用する場合、型枠が水平部を有するものとなるため、コンクリート打設時に連行する有害な残留気泡によりコンクリート仕上げ面の品質を損ない易く、多くの補修が必要となる。
コンクリートの強度が必要強度に達するまで型枠の解体ができないので、数多くの型枠を必要とする。
【０００６】
（プレキャストコンクリートブロックを使用する工法の場合）
プレキャストコンクリートブロックを使用すると、上記の不具合を解消できるものの下記のような不具合があった。
プレキャストコンクリートブロックは重量が重いため、運搬や吊り上げ作業などの点でプレキャストコンクリートブロックの左右方向の寸法を長く設定することができず、そのため設置個数が多くなり、設置作業に手間取る。すなわち、ダム堤体はその長さが極めて大きいため、並べるプレキャストコンクリートブロックの数も膨大となり、プレキャストコンクリートブロックの設置作業を効率良く行なえず、工期を短縮化する上でも、また、コストダウンを図る上でも不利となる。
設置されるプレキャストコンクリートブロックと、その内側に打設されるコンクリートとの一体性を高める点において更なる改善の余地があった。
【０００７】
本発明は前記事情に鑑み案出されたものであって、本発明の目的は、左右方向の寸法を大きく設定でき、設置個数を削減して設置作業の効率を高めることができ、コンクリート構造物の工期を短縮化する上でも、また、コストダウンを図る上でも有利なプレキャストコンクリートブロックを提供することにある。
また、本発明の目的は、打設されるコンクリートとの一体性をより高める上で有利なプレキャストコンクリートブロックを提供することにある。
【０００８】
【課題を解決するための手段】
前記目的を達成するため本発明のプレキャストコンクリートブロックは、左右方向に連続して延在しプレキャストコンクリートブロックの前面を構成する前壁部と、前記前壁部の上部に接続され左右方向に連続して延在しプレキャストコンクリートブロックの上面を構成する上壁部とを有し、前記プレキャストコンクリートブロックの前壁部の後面と上壁部の下面にわたり、プレキャストコンクリートブロックの後方及び下方に開放状でプレキャストコンクリートブロックの左右方向のほぼ全長にわたって延在する凹部が設けられ、さらに、前記凹部の左右方向に間隔をおいた少なくとも２箇所に、前記前壁部の後面と上壁部の下面から左右方向と直交する方向に突出し凹部内を延出してその下部が上下方向において前壁部の下部とほぼ同じ寸法となり、その後部が上壁部の後部とほぼ同じ寸法となり前記プレキャストコンクリートブロックの脚部として機能するコンクリート付着用壁部が設けられ、前記凹部を形成する前記前壁部の後面、前記上壁部の下面、前記コンクリート付着用壁部の側面は、コンクリートとの付着性を高めるため粗面で形成され、前記コンクリート付着用壁部のうち左右両端付近に設けられる２つのコンクリート付着用壁部は、プレキャストコンクリートブロックの左右両端よりもプレキャストコンクリートブロックの長手方向の中央寄りに変位した箇所に設けられ、プレキャストコンクリートブロックの左右方向の両端において前記凹部が左右方向外方に開放され、前記プレキャストコンクリートブロックの両端部において、前壁部の後面と上壁部の下面に傾斜面が形成され、この傾斜面により前記コンクリート付着用壁部からプレキャストコンクリートブロックの左右両端部に向かって、前壁部の厚みと上壁部の厚みが次第に薄くなるように形成されていることを特徴とする。
また、本発明のプレキャストコンクリートブロックは、左右方向に連続して延在しプレキャストコンクリートブロックの前面を構成する前壁部と、前記前壁部の上部から後方に延在すると共に左右方向に連続して延在しプレキャストコンクリートブロックの上面を構成する上壁部と、前記前壁部の下部から後方に延在すると共に左右方向に連続して延在しプレキャストコンクリートブロックの下面を構成する下壁部と、前記前壁部の後方で前記上壁部と下壁部との間に形成された後方に開放状でプレキャストコンクリートブロックの左右方向のほぼ全長にわたって延在する凹部と、前記凹部の左右方向に間隔をおいた少なくとも２箇所に左右方向と直交する方向に延在し前壁部の後面と上壁部の下面と下壁部の上面とを接続するように設けられたコンクリート付着用壁部とを有し、前記凹部を形成する前記前壁部の後面、前記上壁部の下面、前記コンクリート付着用壁部の側面は、コンクリートとの付着性を高めるため粗面で形成され、前記コンクリート付着用壁部のうち左右両端付近に設けられる２つのコンクリート付着用壁部は、プレキャストコンクリートブロックの左右両端よりもプレキャストコンクリートブロックの長手方向の中央寄りに変位した箇所に設けられ、プレキャストコンクリートブロックの左右方向の両端において前記凹部が左右方向外方に開放され、前記プレキャストコンクリートブロックの両端部において、前壁部の後面と上壁部の下面に傾斜面が形成され、この傾斜面により前記コンクリート付着用壁部からプレキャストコンクリートブロックの左右両端部に向かって、前壁部の厚みと上壁部の厚みが次第に薄くなるように形成されていることを特徴とする。
【０００９】
本発明によれば、プレキャストコンクリートブロックがその長手方向のほぼ全長にわたって延在する凹部を有するので、プレキャストコンクリートブロックの軽量化を図りつつ長さを大きくすることができ、プレキャストコンクリートブロックの設置個数を大幅に削減でき、設置作業の効率化を図り、コンクリートダム堤体などのコンクリート構造物の工期の短縮化、コストダウンを可能となる。
また、コンクリート付着用壁部がコンクリート中に埋設されると共に、コンクリート付着用壁部の側面がプレキャストコンクリートブロックとコンクリートとの剥離方向に対して延在するので、コンクリートとの付着力を高め、コンクリートとの一体性を高める上でより有利となる。
【００１０】
【発明の実施の形態】
以下、プレキャストコンクリートブロックと、このプレキャストコンクリートブロックを用いたコンクリート構造物の構築方法を図面を参照して説明する。
まず、第１の実施の形態から説明すると、図１（Ａ）は第１の実施の形態に係るプレキャストコンクリートブロックの背面図、（Ｂ）は（Ａ）のＢ矢視断面図、（Ｃ）はプレキャストコンクリートブロックを後方から見た斜視図である。
第１の実施の形態に係るプレキャストコンクリートブロック１２Ａは、前壁部１４と、上壁部１６と、コンクリート付着用壁部１８と、凹部２０などを備えており、前後方向の奥行きＤと上下方向の高さＨに対して十分に大きな寸法の左右方向の長さＬを有している。本実施の形態では、例えば、Ｄが９００ｍｍ、Ｈが１０００ｍｍ、Ｌが３０００ｍｍのもの（すなわち長さＬが、奥行きＤと高さＨに対してほぼ３倍の大きさのもの）や、Ｄが９００ｍｍ、Ｈが１０００ｍｍ、Ｌが１５００ｍｍのもの（すなわち長さＬが、奥行きＤと高さＨに対してほぼ１．５倍の大きさのもの）が用意されている。なお、プレキャストコンクリートブロック１２Ａは、その長さＬが奥行きＤと高さＨに対してほぼ６倍の大きさの寸法まで使用可能である。
【００１１】
前記前壁部１４は、左右方向に連続して延在し、平坦な垂直面をなす前面１４０２を構成している。この前面１４０２または上面１６０２には、ブロックの積み重ねる際に支障をきたさぬ範囲で、凹凸からなる模様（不図示）が形成され、この模様により前面１４０２上または上面１６０２上を伝い流れる水の勢いが減衰されるように構成されている。
前記上壁部１６は、前壁部１４の上部に接続され左右方向に連続して延在し、平坦な水平面をなす上面１６０２を構成している。
前記凹部２０は、前壁部１４の後面１４０４と上壁部１６の下面１６０４により形成され、プレキャストコンクリートブロック１２Ａの後方及び下方に開放状でプレキャストコンクリートブロック１２Ａの左右方向のほぼ全長にわたって延在形成されている。本実施の形態では、前壁部１４の後面１４０４と上壁部１６の下面１６０４は、上方から下方に至るにつれて次第に前方に変位する単一の傾斜面２００２として形成されている。
【００１２】
前記コンクリート付着用壁部１８は、プレキャストコンクリートブロック１２Ａの左右方向の両端において、前壁部１４の後面１４０４と上壁部１６の下面１６０４から突出し、すなわち傾斜面２００２から左右方向と直交する方向に突出し凹部２０内を前後上下方向延出して形成されている。
そして、コンクリート付着用壁部１８の下面１８０２は、上下方向において前壁部１４の下面１４０６とほぼ同一面上に位置し、その後面１８０４が上壁部１６の後面１６０６とほぼ同一面上に位置するように設けられている。
前記コンクリート付着用壁部１８は、プレキャストコンクリートブロック１２Ａの長手方向に向いた、すなわち左右方向に向いた両側の側面１８０５を有し、本実施の形態では、コンクリート付着用壁部１８の厚さＴ、すなわち、コンクリート付着用壁部１８の両側面１８０５間の寸法は、プレキャストコンクリートブロック１２Ａの長さＬよりも十分に小さい均一の寸法（例えば２００ｍｍ）で形成され、また、コンクリート付着用壁部１８はプレキャストコンクリートブロック１２Ａの起立状態を保持する脚部としても機能している。
なお、コンクリート付着用壁部１８が互いに対向する側面１８０５や傾斜面２００２はコンクリートとの付着性を高めるため粗面で形成されている。
【００１３】
前記前壁部１４の下面１４０６と上壁部１６の上面１６０２には、プレキャストコンクリートブロック１２Ａを上下に重ね合わせた時に互いに嵌合する位置決め用の凸部２２と凹部２４が形成されている。
本実施の形態では前記凸部２２は、上面１６０２の前面側と後面側にあらかじめ設けられたガイドピン挿入孔のうちのどちらか片側に、市販されているガイドピンなどを差し込むことによって形成されている。この凸部２２は、プレキャストコンクリートブロック１２Ａを鉛直状に重ねる場合や、階段状に重ねる場合などに対応して、後面側か前面側かを選択することにより、その位置が決定される。凹部２４は、どちらの場合にも下面１８０２に設けられる。凹部２４は凸部２２よりもやや大きい寸法で設けられ、プレキャストコンクリートブロックの位置決めの際の調整を可能としている。
また、プレキャストコンクリートブロック１２Ａが後方に臨む部分に、本実施の形態では前記傾斜面２００２に、コンクリートとの付着性をより一層高めるためのジベル筋２６が複数設けられている。
【００１４】
次に、上記のプレキャストコンクリートブロック１２Ａを用いてコンクリートダム堤体２８を構築する方法について説明する。
図２（Ａ）はコンクリートダム堤体の下流側部分の断面図、（Ｂ）はコンクリートダム堤体の上流側部分の断面図である。
コンクリートダム堤体の構築箇所において、長さＬが３０００ｍｍの５個（長さが１５００ｍｍのもの場合には１０個）のプレキャストコンクリートブロック１２Ａを、左右の側面を合わせて直線状に並べ、約１５ｍの長さのプレキャストコンクリート列を作る。
そして、このプレキャストコンクリート列の内側に、高さが約１ｍ、長さが約１５ｍでコンクリートを打設し、堤体部分を構築する。
この場合、予め形成されたコンクリート面に多数のアンカー金具３０（例えばＬ形鋼）を打ち込んでおき、プレキャストコンクリートブロック１２Ａを並べた段階で、各ジベル筋２６（あるいは予めプレキャストコンクリートブロック１２Ａ後面に埋め込んだアンカー金具）とアンカー金具３０間を鉄筋または型鋼などの固定用鋼材３２で連結し、プレキャストコンクリートブロック１２Ａの設置状態を強固にする。このように各ジベル筋２６とアンカー金具３０間を固定用鋼材３２で連結しておくことで、内側のコンクリートを打設する際に受ける圧力によりプレキャストコンクリートブロックが移動してずれるのを防ぐとともに、プレキャストコンクリート列の内側に打設されるコンクリートの収縮による剥離に抵抗し、長期間にわたってプレキャストコンクリートブロック１２Ａとコンクリートの一体性を高める上で有利となる。
【００１５】
次に、上記のプレキャストコンクリート列を約１５ｍの長さで水平方向に延長し、その内側にコンクリートを打設し、堤体部分を水平方向に延長していく。
このようにして１段目の堤体部分が構築されたならば、１段目のプレキャストコンクリート列の上に、複数個のプレキャストコンクリートブロック１２Ａを前記と同様に直線状に並べてプレキャストコンクリート列を作る。
この場合、本実施の形態では、ダム堤体の下流側では、図２（Ａ）に示すように、プレキャストコンクリート列が上位に至るにつれて上流側に変位するように積み重ねられ、これによりプレキャストコンクリート列が階段状に形成される。また、ダム堤体の上流側では、図２（Ｂ）に示すように、プレキャストコンクリート列が鉛直状に積み重ねられ、これによりコンクリートダム堤体２８の前面が単一の鉛直面をなすように形成される。
【００１６】
そして、コンクリートダム堤体１２の水密性を高めるため、上下に重ね合わせられるプレキャストコンクリートブロック１２Ａ相互の境界Ｂ１と、打設されることで上下に積み重ねられていくコンクリート層相互の境界Ｂ２とを上下にずらしている。
本実施の形態では、ダム堤体の下流側では、プレキャストコンクリート列が上位に至るにつれて上流側に変位するので、予め形成されたコンクリート面上にスペーサ３４を載置し、このスペーサ３４の上にコンクリート付着用壁部１８の下面１８０２の後端を載せるようにしている。
このようなプレキャストコンクリート列の形成とコンクリートの打設を順次繰り返していくことで、図３に示すように、コンクリートダム堤体２８が構築される。なお、コンクリートダム堤体２８の上部において、下流側においてもプレキャストコンクリートブロック１２Ａが鉛直状に積み重ねられる。
【００１７】
本実施の形態に係るプレキャストコンクリートブロック１２Ａによれば、下方及び後方に開放状でプレキャストコンクリートブロック１２Ａの左右方向のほぼ全長にわたって延在する凹部２０を設けたので、プレキャストコンクリートブロック１２Ａの重量を大幅に軽減でき、軽量化を図りつつプレキャストコンクリートブロック１２Ａの左右方向の長さＬを大きくすることができる。
したがって、運搬や吊り上げ作業に支障をきたすことなく長さＬの大きなプレキャストコンクリートブロック１２Ａを取り扱え、これによりプレキャストコンクリートブロック１２Ａの設置個数を大幅に削減でき、設置作業の効率化を図り、コンクリートダム堤体２８の工期を短縮化する上でも、また、コストダウンを図る上でも有利となる。
また、打設されたコンクリートが凹部２０内に充填され、粗面をなすコンクリート付着用壁部１８の側面１８０５および傾斜面２００２に付着し、さらに、コンクリート付着用壁部１８がコンクリート中に埋設されると共に、コンクリート付着用壁部１８の側面１８０５は、プレキャストコンクリートブロック１２Ａとコンクリートとの剥離方向に対して垂直面として延在するので、コンクリートとの付着力を高め、コンクリートとの一体性を高める上でより有利となる。
また、階段状に設置するプレキャストコンクリートブロック１２Ａと同形状のものを鉛直面にも設置することができ、製作するブロックの種類を少なくすることが出来る。そのため、コストダウンを図ることが出来るとともにブロックを設置する際の煩雑さを軽減することが出来る。
また、このように下流側を階段状に形成する場合は、水流を減勢することを目的としているが、プレキャストコンクリートブロック１２Ａの前面あるいは上面の少なくとも一方に凹凸からなる模様を形成することにより、減勢効果をより一層増大させることが出来る。
【００１８】
次に、第２の実施の形態について説明する。なお、以下の実施の形態の説明において第１の実施の形態と同様な箇所、部材には同一の符号を付して説明する。図４（Ａ）は第２の実施の形態に係るプレキャストコンクリートブロックの背面図、（Ｂ）は（Ａ）のＢ矢視断面図、（Ｃ）はプレキャストコンクリートブロックを後方から見た斜視図である。
第２の実施の形態に係るプレキャストコンクリートブロック１２Ｂは第１の実施の形態にさらに一つのコンクリート付着用壁部１８を加えたもので、他の点は第１の実施の形態と同様で、前壁部１４と、上壁部１６と、凹部２０などを備え、また、第１の実施の形態と同様な奥行きＤ、高さＨ、長さＬを有している。
【００１９】
すなわち、第２の実施の形態に係るプレキャストコンクリートブロック１２Ｂでは、プレキャストコンクリートブロック１２Ｂの左右方向の両端と、左右方向の中央との３箇所にそれぞれコンクリート付着用壁部１８が設けられている。そして、左右方向の中央にコンクリート付着用壁部１８が設けられることで、凹部２０が左右に二分されている。
このような第２の実施の形態に係るプレキャストコンクリートブロック１２Ｂによっても第１の実施の形態と同様な作用、効果が発揮される。なお、第２の実施の形態ではコンクリート付着用壁部１８を一つ追加しているので、第１の実施の形態に比べてその分重量増となるが、その反面、コンクリートとの剥離方向に対して垂直面として延在するコンクリート付着用壁部１８の側面１８０５の面積が増大するので、コンクリートとの付着力を高め、コンクリートとの一体性を高める上で有利となっている。
【００２０】
次に、第３の実施の形態について説明する。
図５（Ａ）は第３の実施の形態に係るプレキャストコンクリートブロックの背面図、（Ｂ）は（Ａ）のＢ矢視断面図、（Ｃ）は（Ａ）のＣ矢視図、（Ｄ）はプレキャストコンクリートブロックを後方から見た斜視図である。
第３の実施の形態に係るプレキャストコンクリートブロック１２Ｃは、コンクリート付着用壁部１８をプレキャストコンクリートブロック１２Ｃの左右端部からずらし、また、コンクリート付着用壁部１８の外側の前壁部１４の後面１４０４と上壁部１６の下面１６０４に傾斜面１４０４Ａ、１６０４Ａを形成したものであり、他の点は第１の実施の形態と同様で、前壁部１４と、上壁部１６と、凹部２０などを備え、また、第１の実施の形態と同様な奥行きＤ、高さＨ、長さＬを有している。
【００２１】
すなわち、第３の実施の形態に係るプレキャストコンクリートブロック１２Ｃでは、両側のコンクリート付着用壁部１８がプレキャストコンクリートブロック１２Ｂの左右方向の両端寄り箇所で、かつ、プレキャストコンクリートブロック１２Ｂの左右方向の両端から長手方向の中央寄りに変位した２箇所に設けられている。
したがって、前壁部１４の後面１４０４と上壁部１６の下面１６０４により形成される凹部２０は、両側のコンクリート付着用壁部１８の間に後方及び下方に開放状に形成されると共に、両側のコンクリート付着用壁部１８の外側においてそれぞれ後方及び下方ならびに左右方向外方に開放状に形成されている。
また、コンクリート付着用壁部１８の外側の前壁部１４の後面１４０４の端部寄り箇所に、長手方向の端部に至るにつれて前方に変位する傾斜面１４０４Ａが形成され、コンクリート付着用壁部１８の外側の上壁部１６の下面１６０４の端部寄り箇所に、長手方向の端部に至るにつれて上方に変位する傾斜面１６０４Ａが形成されている。なお、これら傾斜面１４０４Ａ、１６０４Ａやコンクリート付着用壁部１８の両側面１８０５は、後面１４０４と下面１６０４と同様に粗面で形成されている。
【００２２】
このような第３の実施の形態に係るプレキャストコンクリートブロック１２Ｃによっても第１の実施の形態と同様な作用、効果が発揮される。
また、第３の実施の形態ではコンクリート付着用壁部１８を、長手方向の両端から長手方向の中央寄りにその位置をずらしているので、プレキャストコンクリートブロック１２Ｃの長手方向両端において凹部２０が後方及び下方ならびに左右方向外方に開放状に形成される。したがって、プレキャストコンクリートブロック１２Ｃを直線上に並べてプレキャストコンクリート列を作り、その内側にコンクリートを打設すると、図６の背面図に示すように、隣り合うプレキャストコンクリートブロック１２Ｃの両端間の凹部２０にもコンクリートＣが充填される。すなわち、隣り合うプレキャストコンクリートブロック１２Ｃの後面においてそれらの両端間にわたってコンクリートＣが連続して充填されるので、隣り合うプレキャストコンクリートブロック１２Ｃ相互の連結状態をより強固にする上で有利となる。
また、コンクリート付着用壁部１８の外側の前壁部１４の後面１４０４と上壁部１６の下面１６０４に傾斜面１４０４Ａ、傾斜面１６０４Ａを形成したので、コンクリート付着用壁部１８の外側の凹部２０内においてコンクリートＣに対する接触面積を拡大でき、隣り合うプレキャストコンクリートブロック１２Ｃ相互の連結状態をより強固にする上でも、また、コンクリートＣとの付着力を高め、コンクリートＣとの一体性を高める上でも有利となる。
また構造物の有効な断面を算定するに際して、隣り合うプレキャストコンクリートブロック１２Ｃ同士が接する面積が無効とされる場合には、その面積を最少限に押さえることができるので、有効断面に算入できる部分を大きくできて有利となる。
【００２３】
次に、第４の実施の形態について説明する。
図７（Ａ）は第４の実施の形態に係るプレキャストコンクリートブロックの背面図、（Ｂ）は（Ａ）のＢ矢視断面図、（Ｃ）は（Ａ）のＣ矢視図、（Ｄ）はプレキャストコンクリートブロックを後方から見た斜視図である。
第４の実施の形態に係るプレキャストコンクリートブロック１２Ｄは第３の実施の形態にさらに一つのコンクリート付着用壁部１８を加えたもので、他の点は第３の実施の形態と同様で、前壁部１４と、上壁部１６と、凹部２０などを備え、また、第１の実施の形態と同様な奥行きＤ、高さＨ、長さＬを有している。
【００２４】
すなわち、第４の実施の形態に係るプレキャストコンクリートブロック１２Ｄでは、プレキャストコンクリートブロック１２Ｄの左右方向の両端寄り部分と、左右方向の中央との３箇所にそれぞれコンクリート付着用壁部１８が設けられている。そして、左右方向の中央にコンクリート付着用壁部１８が設けられることで、凹部２０が左右方向において４つに分かれている。
このような第４の実施の形態に係るプレキャストコンクリートブロック１２Ｄによっても第３の実施の形態と同様な作用、効果が発揮される。なお、第４の実施の形態ではコンクリート付着用壁部１８を一つ追加しているので、第３の実施の形態に比べてその分重量増となるが、その反面、コンクリートとの剥離方向に対して垂直面として延在するコンクリート付着用壁部１８の側面１８０５の面積が増大するので、コンクリートとの付着力を高め、コンクリートとの一体性を高める上で有利となる。
【００２５】
次に、第５の実施の形態について説明する。
図８（Ａ）は第５の実施の形態に係るプレキャストコンクリートブロックの背面図、（Ｂ）は（Ａ）のＢ矢視断面図である。
第５の実施の形態に係るプレキャストコンクリートブロック１２Ｅは第１の実施の形態に下壁部４２を加えたものであり、下壁部４２を加えたことにより凹部２０の形状も第１の実施の形態と異なっており、その他の点は第１の実施の形態と同様で、前壁部１４と、上壁部１６と、コンクリート付着用壁部１８などを備え、また、第１の実施の形態と同様な奥行きＤ、高さＨ、長さＬを有している。
【００２６】
すなわち、第５の実施の形態に係るプレキャストコンクリートブロック１２Ｅにおいて、前壁部１４は左右方向に連続して延在し、平坦な垂直面をなす前面１４０２を構成し、上壁部１６は、前壁部１４の上部に接続され左右方向に連続して延在し、平坦な水平面をなす上面１６０２を構成し、下壁部４２は前壁部１４の下部に接続され左右方向に連続して延在し、平坦な水平面をなす下面４２０２を構成している。
前記凹部２０は、前壁部１４の後面１４０４と上壁部１６の下面１６０４と下壁部４２の上面４２０４とにより形成され、プレキャストコンクリートブロック１２Ａの後方に開放状でプレキャストコンクリートブロック１２Ａの左右方向のほぼ全長にわたって延在形成されている。本実施の形態では、前壁部１４の後面１４０４は垂直面で形成され、上壁部１６の下面１６０４と下壁部４２の上面４２０４は、凹部２０の上下の寸法が後方に至るにつれて次第に大きくなるように傾斜面により形成されている。
なお、第１の実施の形態と同様に、積み重ね用の凸部２２と凹部２４は、上壁部１６の上面１６０２と下壁部４２の下面４２０２に形成され、ジベル筋２６は、前壁部１４の後面１４０４と上壁部１６の下面１６０４に設けられ、前壁部１４の前面１４には上から下へ流れる水の勢いを減衰する凹凸からなる模様（不図示）が形成されている。
【００２７】
コンクリート付着用壁部１８は、プレキャストコンクリートブロック１２Ｅの両端寄り箇所で、かつ、プレキャストコンクリートブロック１２Ｅの両端よりもプレキャストコンクリートブロック１２Ｅの長手方向の中央寄りに変位した２箇所に設けられ、コンクリート付着用壁部１８は、上壁部１６の上面１６０２と下壁部４２の下面４２０２間を接続しつつ前壁部１４の後面１４０４から左右方向と直交する方向である後方に突出している。したがって、前記凹部２０は、両側のコンクリート付着用壁部１８の間において後方に開放状に形成され、両側のコンクリート付着用壁部１８の外側においてそれぞれ後方及び左右方向外方に開放状に形成されている。
本実施の形態では、コンクリート付着用壁部１８の厚さＴは、プレキャストコンクリートブロック１２Ｅの長さＬよりも十分に小さい均一の寸法（例えば２００ｍｍ）で形成されている。
なお、コンクリート付着用壁部１８の両側面１８０５や、前壁部１４の後面１４０４、上壁部１６の下面１６０４、下壁部４２の上面４２０４はコンクリートとの付着性を高めるため粗面で形成されている。
【００２８】
本実施の形態に係るプレキャストコンクリートブロック１２Ｅによれば、第１の実施の形態と同様に、プレキャストコンクリートブロック１２Ｅの長手方向のほぼ全長にわたって延在する凹部２０を設けたので、プレキャストコンクリートブロック１２Ｅの重量を大幅に軽減でき、軽量化を図りつつプレキャストコンクリートブロック１２Ｅの左右方向の長さＬを大きくすることができ、これにより、運搬や吊り上げ作業に支障をきたすことなく長さＬの大きなプレキャストコンクリートブロック１２Ｅを取り扱え、プレキャストコンクリートブロック１２Ｅの設置個数を大幅に削減でき、設置作業の効率化を図り、コンクリートダム堤体２８の工期を短縮化する上でも、また、コストダウンを図る上でも有利となる。また、打設されたコンクリートが凹部２０内に充填され、粗面をなすコンクリート付着用壁部１８の両側面１８０５や、前壁部１４の後面１４０４、上壁部１６の下面１６０４、下壁部４２の上面４２０４に付着し、さらに、コンクリート付着用壁部１８がコンクリート中に埋設されると共に、コンクリート付着用壁部１８の両側面１８０５は、プレキャストコンクリートブロック１２Ｅとコンクリートとの剥離方向に対して垂直面として延在するので、コンクリートとの付着力を高め、コンクリートとの一体性を高める上でより有利となる。
また、コンクリート付着用壁部１８は、プレキャストコンクリートブロック１２Ｅの長手方向の両端から長手方向の中央寄りにその位置がずれているので、プレキャストコンクリートブロック１２Ｅの長手方向両端において凹部２０が後方及び左右方向外方に開放状に形成される。したがって、プレキャストコンクリートブロック１２Ｅを直線上に並べてプレキャストコンクリート列を作り、その内側にコンクリートを打設すると、図６の背面図に示したように、隣り合うプレキャストコンクリートブロック１２Ｅの両端間の凹部２０にもコンクリートＣが充填される。すなわち、隣り合うプレキャストコンクリートブロック１２Ｅの後面においてそれらの両端間にわたってコンクリートＣが連続して充填されるので、隣り合うプレキャストコンクリートブロック１２Ｅ相互の連結状態をより強固にする上で有利となる。
【００２９】
次に、第６の実施の形態について説明する。
図９（Ａ）は第６の実施の形態に係るプレキャストコンクリートブロックの背面図、（Ｂ）は（Ａ）のＢ矢視断面図、（Ｃ）は（Ａ）のＣ矢視図である。
第６の実施の形態に係るプレキャストコンクリートブロック１２Ｆは、コンクリート付着用壁部１８の外側の前壁部１４の後面１４０４、上壁部１６の下面１６０４、下壁部４２の上面４２０４に傾斜面１４０４Ａ、１６０４Ａ、４２０４Ａを形成したものであり、他の点は第５の実施の形態と同様で、また、第１の実施の形態と同様な奥行きＤ、高さＨ、長さＬを有している。
【００３０】
すなわち、第６の実施の形態に係るプレキャストコンクリートブロック１２Ｆでは、コンクリート付着用壁部１８の外側の前壁部１４の後面１４０４の端部寄り箇所に、長手方向の端部に至るにつれて前方に変位する傾斜面１４０４Ａが形成され、コンクリート付着用壁部１８の外側の上壁部１６の下面１６０４の端部寄り箇所に、長手方向の端部に至るにつれて上方に変位する傾斜面１６０４Ａが形成され、コンクリート付着用壁部１８の外側の下壁部４２の上面４２０４の端部寄り箇所に、長手方向の端部に至るにつれて下方に変位する傾斜面４２０４Ａが形成されている。
【００３１】
このような第６の実施の形態に係るプレキャストコンクリートブロック１２Ｆによっても第５の実施の形態と同様な作用、効果が発揮される。
また、第６の実施の形態では、コンクリート付着用壁部１８の外側の前壁部１４の後面１４０４と上壁部１６の下面１６０４と下壁部４２の上面４２０４とに傾斜面１４０４Ａ、傾斜面１６０４Ａ、４２０４Ａを形成したので、コンクリート付着用壁部１８の外側の凹部２０内においてコンクリートＣに対する接触面積を拡大でき、隣り合うプレキャストコンクリートブロック１２Ｆ相互の連結状態をより強固にする上でも、また、コンクリートＣとの付着力を高め、コンクリートＣとの一体性を高める上でも有利となる。
【００３２】
次に、参考例１について説明する。
図１０（Ａ）は参考例１に係るプレキャストコンクリートブロックの平面図、（Ｂ）は同背面図、（Ｃ）は（Ｂ）のＣ矢視断面図である。
参考例１のプレキャストコンクリートブロック１２Ｇは、図８に示した第５の実施の形態のプレキャストコンクリートブロック１２Ｅから上壁部１６と下壁部４２を省いたものであり、第１の実施の形態と同様な奥行きＤ、高さＨ、長さＬを有している。
【００３３】
すなわち、参考例１のプレキャストコンクリートブロック１２Ｇにおいて、前壁部１４は左右方向に連続して延在し、平坦な垂直面をなす前面１４０２と、平坦な垂直面をなす後面１４０４を構成している。
また、コンクリート付着用壁部１８は、プレキャストコンクリートブロック１２Ｇの両端寄り箇所で、かつ、プレキャストコンクリートブロック１２Ｇの長手方向の中央寄りに変位した２箇所に設けられ、それぞれ前壁部１４の後面１４０４から後方に突出している。
そして、前壁部１４の下面１４０６とコンクリート付着用壁部１８の下面１８０２は単一の水平な平坦面で形成され、前壁部１４の上面１４１０とコンクリート付着用壁部１８の上面１８１０も単一の水平な平坦面で形成されている。
したがって、前壁部１４の後面の後方に、後方及び上下方向に開放状の凹部２０がプレキャストコンクリートブロック１２Ｇのほぼ全長にわたって延在形成され、凹部２０は、両側のコンクリート付着用壁部１８の外側においてそれぞれ、後方及び上下方向ならびに左右方向外方に開放状に形成されている。
【００３４】
参考例１では、コンクリート付着用壁部１８の厚さＴは、プレキャストコンクリートブロック１２Ｇの長さＬよりも十分に小さい均一の寸法（例えば２００ｍｍ）で形成されている。
なお、コンクリート付着用壁部１８の両側面１８０５や、前壁部１４の後面１４０４はコンクリートとの付着性を高めるため粗面で形成されている。
また、第１の実施の形態と同様に、積み重ね用の凸部２２と凹部２４は、前壁部１４の下面１４０６と上面１４１０に形成され、ジベル筋２６は、前壁部１４の後面１４０４に設けられている。
【００３５】
参考例１のプレキャストコンクリートブロック１２Ｇによれば、第１の実施の形態と同様に、プレキャストコンクリートブロック１２Ｇの長手方向のほぼ全長にわたって延在する凹部２０を設けたので、プレキャストコンクリートブロック１２Ｇの重量を大幅に軽減でき、軽量化を図りつつプレキャストコンクリートブロック１２Ｅの左右方向の長さＬを大きくすることができ、これにより長さＬの大きなプレキャストコンクリートブロック１２Ｇを取り扱え、プレキャストコンクリートブロック１２Ｇの設置個数を大幅に削減でき、設置作業の効率化を図り、コンクリートダム堤体２８の工期を短縮化する上でも、また、コストダウンを図る上でも有利となる。
また、打設されたコンクリートが凹部２０内に充填され、粗面をなすコンクリート付着用壁部１８の両側面１８０５や、前壁部１４の後面１４０４に付着し、さらに、コンクリート付着用壁部１８がコンクリート中に埋設されると共に、コンクリート付着用壁部１８の両側面１８０５は、プレキャストコンクリートブロック１２Ｅとコンクリートとの剥離方向に対して垂直面として延在するので、コンクリートとの付着力を高め、コンクリートとの一体性を高める上でより有利となる。
また、コンクリート付着用壁部１８は、プレキャストコンクリートブロック１２Ｇの長手方向の両端から長手方向の中央寄りにその位置がずれているので、プレキャストコンクリートブロック１２Ｇの長手方向両端において凹部２０が後方及び左右方向外方に開放状に形成される。したがって、プレキャストコンクリートブロック１２Ｇを直線上に並べてプレキャストコンクリート列を作り、その内側にコンクリートを打設すると、図６の背面図に示したように、隣り合うプレキャストコンクリートブロック１２Ｇの両端間の凹部２０にもコンクリートＣが充填される。すなわち、隣り合うプレキャストコンクリートブロック１２Ｇの後面においてそれらの両端間にわたってコンクリートＣが連続して充填されるので、隣り合うプレキャストコンクリートブロック１２Ｇ相互の連結状態をより強固にする上で有利となる。
【００３６】
次に、参考例２について説明する。
図１１（Ａ）は参考例２のプレキャストコンクリートブロックの平面図、（Ｂ）は同背面図、（Ｃ）は（Ｂ）のＣ矢視断面図、（Ｄ）は（Ｂ）のＤ矢視図である。
参考例２のプレキャストコンクリートブロック１２Ｈは、コンクリート付着用壁部１８の外側の前壁部１４の後面１４０４に傾斜面１４０４Ａを形成したものであり、他の点は参考例１と同様である。
すなわち、参考例２のプレキャストコンクリートブロック１２Ｈでは、コンクリート付着用壁部１８の外側の前壁部１４の後面１４０４の端部寄り箇所に、長手方向の端部に至るにつれて前方に変位する傾斜面１４０４Ａが形成されている。
【００３７】
このような参考例２のプレキャストコンクリートブロック１２Ｈによっても参考例１と同様な作用、効果が発揮される。
また、参考例２では、コンクリート付着用壁部１８の外側の前壁部１４の後面１４０４に傾斜面１４０４Ａを形成したので、コンクリート付着用壁部１８の外側の凹部２０内においてコンクリートＣに対する接触面積を拡大でき、隣り合うプレキャストコンクリートブロック１２Ｈ相互の連結状態をより強固にする上でも、また、コンクリートＣとの付着力を高め、コンクリートＣとの一体性を高める上でも有利となる。
【００３８】
次に、コンクリート付着用壁部１８の変形例について説明する。
図１２（Ａ）乃至（Ｃ）は変形例に係るコンクリート付着用壁部１８部分の断面平面図である。
上述の第１乃至第６の実施の形態および参考例１、２においてコンクリート付着用壁部１８の両側面１８０５間の寸法Ｔは、前端から後端まで均一の寸法で形成されていたが、この寸法Ｔは、無論変化させるようにしてもよい。
すなわち、コンクリート付着用壁部１８は、プレキャストコンクリートブロック１２の前壁部１４の後面１４０４から後方に突出されている。
そして、図１２（Ａ）の場合には、コンクリート付着用壁部１８の両側の側面１８０５は、それらの距離が前端から後端に至るにつれて次第に大きくなる傾斜面で形成されている。これにより、コンクリート付着用壁部１８は、前端から後端に至るにつれて水平面で切った断面が次第に大きくなるように形成されている。
また、図１２（Ｂ）の場合には、コンクリート付着用壁部１８の前部側に、コンクリート付着用壁部１８の両側面１８０５間の寸法Ｔが均一な基部１８２０が形成され、コンクリート付着用壁部１８の後部側に、両側面１８０５間の寸法が前記寸法Ｔよりも大きく、水平面で切った断面が基部１８２０よりも大きい膨出部１８３０が形成されている。
また、図１２（Ｃ）の場合には、コンクリート付着用壁部１８の前部側に、コンクリート付着用壁部１８の両側面１８０５間の寸法Ｔが均一な基部１８２０が形成され、コンクリート付着用壁部１８の後部側に、両側面１８０５間の寸法が後端に至るにつれて前記寸法Ｔよりも次第に大きくなり、水平面で切った断面が基部１８２０よりも大きい膨出部１８３０が形成されている。
【００３９】
このようにコンクリート付着用壁部１８の両側面１８０５間の寸法Ｔを変化させれば、コンクリートに埋設された際に、図１２（Ａ）の場合にはコンクリート付着用壁部１８自体がコンクリート中においてあたかも楔の如く作用し、また、図１２（Ｂ）、（Ｃ）の場合には後端の膨出部１８３０がコンクリート中においてあたかも楔の如く作用し、プレキャストコンクリートブロック１２の内側に打設されるコンクリートの収縮による剥離に抵抗でき、長期間にわたってプレキャストコンクリートブロック１２とコンクリートの一体性を高める上でより有利となる。
なお、コンクリート付着用壁部１８がプレキャストコンクリートブロック１２の左右両端に設けられ、プレキャストコンクリートブロック１２の左右側面を形成する場合には、プレキャストコンクリートブロック１２内側の凹部２０に面する側のみに、これら膨出部１８３０を設ければプレキャストコンクリートブロック１２を左右に並べる際に支障をきたさない。
【００４０】
【発明の効果】
以上の説明で明らかなように本発明のプレキャストコンクリートブロックによれば、プレキャストコンクリートブロックがその長手方向のほぼ全長にわたって延在する凹部を有するので、プレキャストコンクリートブロックの軽量化を図りつつ長さを大きくすることができ、プレキャストコンクリートブロックの設置個数を大幅に削減でき、設置作業の効率化を図り、コンクリートダム堤体などのコンクリート構造物の工期の短縮化、コストダウンを可能となる。
また、コンクリート付着用壁部がコンクリート中に埋設され、プレキャストコンクリートブロックとコンクリートとの剥離方向に対して抵抗として機能するので、コンクリートとの付着力を高め、コンクリートとの一体性を高める上でより有利となる。
【図面の簡単な説明】
【図１】（Ａ）は第１の実施の形態に係るプレキャストコンクリートブロックの背面図、（Ｂ）は（Ａ）のＢ矢視断面図、（Ｃ）はプレキャストコンクリートブロックを後方から見た斜視図である。
【図２】  （Ａ）はコンクリートダム堤体の下流側部分の断面図、（Ｂ）はコンクリートダム堤体の上流側部分の断面図である。
【図３】  コンクリートダム堤体の側面図である。
【図４】  （Ａ）は第２の実施の形態に係るプレキャストコンクリートブロックの背面図、（Ｂ）は（Ａ）のＢ矢視断面図、（Ｃ）はプレキャストコンクリートブロックを後方から見た斜視図である。
【図５】  （Ａ）は第３の実施の形態に係るプレキャストコンクリートブロックの背面図、（Ｂ）は（Ａ）のＢ矢視断面図、（Ｃ）は（Ａ）のＣ矢視図、（Ｄ）はプレキャストコンクリートブロックを後方から見た斜視図である。
【図６】  隣り合うプレキャストコンクリートブロックの両端間にコンクリートが充填された状態の説明図である。
【図７】  （Ａ）は第４の実施の形態に係るプレキャストコンクリートブロックの背面図、（Ｂ）は（Ａ）のＢ矢視断面図、（Ｃ）は（Ａ）のＣ矢視図、（Ｄ）はプレキャストコンクリートブロックを後方から見た斜視図である。
【図８】  （Ａ）は第５の実施の形態に係るプレキャストコンクリートブロックの背面図、（Ｂ）は（Ａ）のＢ矢視断面図である。
【図９】  （Ａ）は第６の実施の形態に係るプレキャストコンクリートブロックの背面図、（Ｂ）は（Ａ）のＢ矢視断面図、（Ｃ）は（Ａ）のＣ矢視図である。
【図１０】  （Ａ）は参考例１のプレキャストコンクリートブロックの平面図、（Ｂ）は同背面図、（Ｃ）は（Ｂ）のＣ矢視断面図である。
【図１１】  （Ａ）は参考例２のプレキャストコンクリートブロックの平面図、（Ｂ）は同背面図、（Ｃ）は（Ｂ）のＣ矢視断面図、（Ｄ）は（Ｂ）のＤ矢視図である。
【図１２】  （Ａ）乃至（Ｃ）は変形例に係るコンクリート付着用壁部部分の断面平面図である。
【符号の説明】
１２、１２Ａ〜１２Ｈ  プレキャストコンクリートブロック
１４  前壁部
１６  上壁部
１８  コンクリート付着用壁部
２０  凹部
４２  下壁部
【図１】
0004175756.tif 000002
【図２】
0004175756.tif 000003
【図３】
0004175756.tif 000004
【図４】
0004175756.tif 000005
【図５】
0004175756.tif 000006
【図６】
0004175756.tif 000007
【図７】
0004175756.tif 000008
【図８】
0004175756.tif 000009
【図９】
0004175756.tif 000010
【図１０】
0004175756.tif 000011
【図１１】
0004175756.tif 000012
【図１２】
0004175756.tif 000013